(57)【要約】  ８本のアンテナを使用するダウンリンク制御チャネルの伝送方法と装置であって、基地局のダウンリンク伝送に使用される８本のアンテナに対して、第１と第３の二重偏波アンテナ対を第１ポートに仮想化し、第２と第４の二重偏波アンテナ対を第２ポートに仮想化し、そのうち、第１ポートにおける４本のアンテナの放送権の重みは、そのうちの１本のアンテナの重みが＋１であり、他の３本のアンテナの重みが−１であり、又はそのうちの１本のアンテナの重みが−１であり、他の３本のアンテナの重みが＋１であることを満足し、第２ポートにおける４本のアンテナの放送権の重みは、そのうちの１本のアンテナの重みが＋１であり、他の３本のアンテナの重みが−１であり、又はそのうちの１本のアンテナの重みが−１であり、他の３本のアンテナの重みが＋１であることを満足することと、基地局は第１ポートと第２ポートによりダウンリンク制御信号を送信することとを含む。上述方法により、８本のアンテナを用いる基地局のダウンリンク制御チャネルのカバー範囲を拡大できる。【選択図】図２
2013541256.tif 000002
【特許請求の範囲】
【請求項１】
８本のアンテナを使用するダウンリンク制御チャネルの伝送方法において、
基地局のダウンリンク伝送に使用される８本のアンテナに対して、第１と第３の二重偏波アンテナ対を第１ポートに仮想化し、第２と第４の二重偏波アンテナ対を第２ポートに仮想化し、
そのうち、第１ポートにおける４本のアンテナの放送権の重みは、そのうちの１本のアンテナの重みが＋１であり、他の３本のアンテナの重みが−１であり、又はそのうちの１本のアンテナの重みが−１であり、他の３本のアンテナの重みが＋１であることを満足し、
第２ポートにおける４本のアンテナの放送権の重みは、そのうちの１本のアンテナの重みが＋１であり、他の３本のアンテナの重みが−１であり、又はそのうちの１本のアンテナの重みが−１であり、他の３本のアンテナの重みが＋１であることを満足し、
基地局は第１ポートと第２ポートによりダウンリンク制御信号を送信する、
ことを特徴とする８本のアンテナを使用するダウンリンク制御チャネルの伝送方法。
【請求項２】
前記基地局は長期進化ＬＴＥ時分割二重ＴＤＤ基地局、又はＬＴＥ  Ａ  ＴＤＤ基地局、又はＬＴＥ周波数分割二重ＦＤＤ基地局、又はＬＴＥ  Ａ  ＦＤＤ基地局である、
ことを特徴とする請求項１記載の８本のアンテナを使用するダウンリンク制御チャネルの伝送方法。
【請求項３】
８本のアンテナを使用するダウンリンク制御チャネルの伝送方法において、
基地局のダウンリンク伝送に使用される８本のアンテナに対して、第１と第４の二重偏波アンテナ対を第１ポートに仮想化し、第２と第３の二重偏波アンテナ対を第２ポートに仮想化し、
そのうち、第１ポートにおける４本のアンテナの放送権の重みは、そのうちの１本のアンテナの重みが＋１であり、他の３本のアンテナの重みが−１であり、又はそのうちの１本のアンテナの重みが−１であり、他の３本のアンテナの重みが＋１であり、
第２ポートにおける４本のアンテナの放送権の重みは、そのうちの１本のアンテナの重みが＋１であり、他の３本のアンテナの重みが−１であり、又はそのうちの１本のアンテナの重みが−１であり、他の３本のアンテナの重みが＋１であり、
基地局は第１ポートと第２ポートによりダウンリンク制御信号を送信する、
ことを特徴とする８本のアンテナを使用するダウンリンク制御チャネルの伝送方法。
【請求項４】
前記基地局は長期進化ＬＴＥ時分割二重ＴＤＤ基地局、又はＬＴＥ  Ａ  ＴＤＤ基地局、又はＬＴＥ周波数分割二重ＦＤＤ基地局、又はＬＴＥ  Ａ  ＦＤＤ基地局である、
ことを特徴とする請求項３記載の８本のアンテナを使用するダウンリンク制御チャネルの伝送方法。
【請求項５】
８本のアンテナを使用するダウンリンク制御チャネルの伝送方法において、
基地局のダウンリンク伝送に使用される８本のアンテナに対して、第１と第２の二重偏波アンテナ対における＋４５度方向アンテナと第３と第４の二重偏波アンテナ対における−４５度方向アンテナを第１ポートに仮想化し、第１と第２の二重偏波アンテナ対における−４５度方向アンテナと第３と第４の二重偏波アンテナ対における＋４５度方向アンテナを第２ポートに仮想化し、
そのうち、第１ポートにおける４本のアンテナの放送権の重みは、そのうちの１本のアンテナの重みが＋１であり、他の３本のアンテナの重みが−１であり、又はそのうちの１本のアンテナの重みが−１であり、他の３本のアンテナの重みが＋１であり、
第２ポートにおける４本のアンテナの放送権の重みは、そのうちの１本のアンテナの重みが＋１であり、他の３本のアンテナの重みが−１であり、又はそのうちの１本のアンテナの重みが−１であり、他の３本のアンテナの重みが＋１であり、
基地局は第１ポートと第２ポートによりダウンリンク制御信号を送信する、
ことを特徴とする８本のアンテナを使用するダウンリンク制御チャネルの伝送方法。
【請求項６】
前記基地局は長期進化ＬＴＥ時分割二重ＴＤＤ基地局、又はＬＴＥ  Ａ  ＴＤＤ基地局、又はＬＴＥ周波数分割二重ＦＤＤ基地局、又はＬＴＥ  Ａ  ＦＤＤ基地局である、
ことを特徴とする請求項５記載の８本のアンテナを使用するダウンリンク制御チャネルの伝送方法。
【請求項７】
８本のアンテナを使用するダウンリンク制御チャネルの伝送方法において、
基地局のダウンリンク伝送に使用される８本のアンテナに対して、第１と第３の二重偏波アンテナ対における＋４５度方向アンテナと第２と第４の二重偏波アンテナ対における−４５度方向アンテナを第１ポートに仮想化し、第１と第３の二重偏波アンテナ対における−４５度方向アンテナと第２と第４の二重偏波アンテナ対における＋４５度方向アンテナを第２ポートに仮想化し、
そのうち、第１ポートにおける４本のアンテナの放送権の重みは、そのうちの１本のアンテナの重みが＋１であり、他の３本のアンテナの重みが−１であり、又はそのうちの１本のアンテナの重みが−１であり、他の３本のアンテナの重みが＋１であり、
第２ポートにおける４本のアンテナの放送権の重みは、そのうちの１本のアンテナの重みが＋１であり、他の３本のアンテナの重みが−１であり、又はそのうちの１本のアンテナの重みが−１であり、他の３本のアンテナの重みが＋１であり、
基地局は第１ポートと第２ポートによりダウンリンク制御信号を送信する、
ことを特徴とする８本のアンテナを使用するダウンリンク制御チャネルの伝送方法。
【請求項８】
前記基地局は長期進化ＬＴＥ時分割二重ＴＤＤ基地局、又はＬＴＥ  Ａ  ＴＤＤ基地局、又はＬＴＥ周波数分割二重ＦＤＤ基地局、又はＬＴＥ  Ａ  ＦＤＤ基地局である、
ことを特徴とする請求項７記載の８本のアンテナを使用するダウンリンク制御チャネルの伝送方法。
【請求項９】
８本のアンテナを使用するダウンリンク制御チャネルの伝送方法において、
基地局のダウンリンク伝送に使用される８本のアンテナに対して、第１と第４の二重偏波アンテナ対における＋４５度方向アンテナと第２と第３の二重偏波アンテナ対における−４５度方向アンテナを第１ポートに仮想化し、第１と第４の二重偏波アンテナ対における−４５度方向アンテナと第２と第３の二重偏波アンテナ対における＋４５度方向アンテナを第２ポートに仮想化し、
そのうち、第１ポートにおける４本のアンテナの放送権の重みは、そのうちの１本のアンテナの重みが＋１であり、他の３本のアンテナの重みが−１であり、又はそのうちの１本のアンテナの重みが−１であり、他の３本のアンテナの重みが＋１であり、
第２ポートにおける４本のアンテナの放送権の重みは、そのうちの１本のアンテナの重みが＋１であり、他の３本のアンテナの重みが−１であり、又はそのうちの１本のアンテナの重みが−１であり、他の３本のアンテナの重みが＋１であり、
基地局は第１ポートと第２ポートによりダウンリンク制御信号を送信する、
ことを特徴とする８本のアンテナを使用するダウンリンク制御チャネルの伝送方法。
【請求項１０】
前記基地局は長期進化ＬＴＥ時分割二重ＴＤＤ基地局、又はＬＴＥ  Ａ  ＴＤＤ基地局、又はＬＴＥ周波数分割二重ＦＤＤ基地局、又はＬＴＥ  Ａ  ＦＤＤ基地局である、
ことを特徴とする請求項９記載の８本のアンテナを使用するダウンリンク制御チャネルの伝送方法。
【請求項１１】
８本のアンテナを使用するダウンリンク制御チャネルの伝送方法において、
基地局のダウンリンク伝送に使用される８本のアンテナに対して、第１、第２、第３と第４の二重偏波アンテナ対における＋４５度方向アンテナを第１ポートに仮想化し、第１、第２、第３と第４の二重偏波アンテナ対における−４５度方向アンテナを第２ポートに仮想化し、
そのうち、第１ポートにおける４本のアンテナの放送権の重みは、そのうちの１本のアンテナの重みが＋１であり、他の３本のアンテナの重みが−１であり、又はそのうちの１本のアンテナの重みが−１であり、他の３本のアンテナの重みが＋１であり、
第２ポートにおける４本のアンテナの放送権の重みは、そのうちの１本のアンテナの重みが＋１であり、他の３本のアンテナの重みが−１であり、又はそのうちの１本のアンテナの重みが−１であり、他の３本のアンテナの重みが＋１であることと、
基地局は第１ポートと第２ポートによりダウンリンク制御信号を送信する、
ことを特徴とする８本のアンテナを使用するダウンリンク制御チャネルの伝送方法。
【請求項１２】
前記基地局は長期進化ＬＴＥ時分割二重ＴＤＤ基地局、又はＬＴＥ  Ａ  ＴＤＤ基地局、又はＬＴＥ周波数分割二重ＦＤＤ基地局、又はＬＴＥ  Ａ  ＦＤＤ基地局である、
ことを特徴とする請求項１１記載の８本のアンテナを使用するダウンリンク制御チャネルの伝送方法。
【請求項１３】
８本のアンテナを使用するダウンリンク制御チャネルの伝送装置において、
ポートグループ化モジュールは、基地局のダウンリンク伝送に使用される８本のアンテナに対して、第１と第３の二重偏波アンテナ対を第１ポートに仮想化し、第２と第４の二重偏波アンテナ対を第２ポートに仮想化し、そのうち、第１ポートにおける４本のアンテナの放送権の重みは、そのうちの１本のアンテナの重みが＋１であり、他の３本のアンテナの重みが−１であり、又はそのうちの１本のアンテナの重みが−１であり、他の３本のアンテナの重みが＋１であることを満足し、第２ポートにおける４本のアンテナの放送権の重みは、そのうちの１本のアンテナの重みが＋１であり、他の３本のアンテナの重みが−１であり、又はそのうちの１本のアンテナの重みが−１であり、他の３本のアンテナの重みが＋１であることを満足し、
ダウンリンク制御信号送信モジュールは、ポートグループ化モジュールで取得された第１ポートと第２ポートによりダウンリンク制御信号を送信する、
ことを特徴とする８本のアンテナを使用するダウンリンク制御チャネルの伝送装置。
【請求項１４】
前記装置は長期進化ＬＴＥ時分割二重ＴＤＤ基地局、又はＬＴＥ  Ａ  ＴＤＤ基地局、又はＬＴＥ周波数分割二重ＦＤＤ基地局、又はＬＴＥ  Ａ  ＦＤＤ基地局に位置する、
ことを特徴とする請求項１３記載の８本のアンテナを使用するダウンリンク制御チャネルの伝送装置。
【請求項１５】
８本のアンテナを使用するダウンリンク制御チャネルの伝送装置において、
ポートグループ化モジュールは、基地局のダウンリンク伝送に使用される８本のアンテナに対して、第１と第４の二重偏波アンテナ対を第１ポートに仮想化し、第２と第３の二重偏波アンテナ対を第２ポートに仮想化し、そのうち、第１ポートにおける４本のアンテナの放送権の重みは、そのうちの１本のアンテナの重みが＋１であり、他の３本のアンテナの重みが−１であり、又はそのうちの１本のアンテナの重みが−１であり、他の３本のアンテナの重みが＋１であり、第２ポートにおける４本のアンテナの放送権の重みは、そのうちの１本のアンテナの重みが＋１であり、他の３本のアンテナの重みが−１であり、又はそのうちの１本のアンテナの重みが−１であり、他の３本のアンテナの重みが＋１であり、
ダウンリンク制御信号送信モジュールは、ポートグループ化モジュールで取得された第１ポートと第２ポートによりダウンリンク制御信号を送信する、
ことを特徴とする８本のアンテナを使用するダウンリンク制御チャネルの伝送装置。
【請求項１６】
前記装置は長期進化ＬＴＥ時分割二重ＴＤＤ基地局、又はＬＴＥ  Ａ  ＴＤＤ基地局、又はＬＴＥ周波数分割二重ＦＤＤ基地局、又はＬＴＥ  Ａ  ＦＤＤ基地局に位置することを特徴とする請求項１５記載の８本のアンテナを使用するダウンリンク制御チャネルの伝送装置。
【請求項１７】
８本のアンテナを使用するダウンリンク制御チャネルの伝送装置において、
ポートグループ化モジュールは、基地局のダウンリンク伝送に使用される８本のアンテナに対して、第１と第２の二重偏波アンテナ対における＋４５度方向アンテナと第３と第４の二重偏波アンテナ対における−４５度方向アンテナを第１ポートに仮想化し、第１と第２の二重偏波アンテナ対における−４５度方向アンテナと第３と第４の二重偏波アンテナ対における＋４５度方向アンテナを第２ポートに仮想化し、そのうち、第１ポートにおける４本のアンテナの放送権の重みは、そのうちの１本のアンテナの重みが＋１であり、他の３本のアンテナの重みが−１であり、又はそのうちの１本のアンテナの重みが−１であり、他の３本のアンテナの重みが＋１であり、第２ポートにおける４本のアンテナの放送権の重みは、そのうちの１本のアンテナの重みが＋１であり、他の３本のアンテナの重みが−１であり、又はそのうちの１本のアンテナの重みが−１であり、他の３本のアンテナの重みが＋１であり、
ダウンリンク制御信号送信モジュールは、ポートグループ化モジュールで取得された第１ポートと第２ポートによりダウンリンク制御信号を送信する、
ことを特徴とする８本のアンテナを使用するダウンリンク制御チャネルの伝送装置。
【請求項１８】
前記装置は長期進化ＬＴＥ時分割二重ＴＤＤ基地局、又はＬＴＥ  Ａ  ＴＤＤ基地局、又はＬＴＥ周波数分割二重ＦＤＤ基地局、又はＬＴＥ  Ａ  ＦＤＤ基地局に位置することを特徴とする請求項１７記載の８本のアンテナを使用するダウンリンク制御チャネルの伝送装置。
【請求項１９】
８本のアンテナを使用するダウンリンク制御チャネルの伝送装置において、
ポートグループ化モジュールは、基地局のダウンリンク伝送に使用される８本のアンテナに対して、第１と第３の二重偏波アンテナ対における＋４５度方向アンテナと第２と第４の二重偏波アンテナ対における−４５度方向アンテナを第１ポートに仮想化し、第１と第３の二重偏波アンテナ対における−４５度方向アンテナと第２と第４の二重偏波アンテナ対における＋４５度方向アンテナを第２ポートに仮想化し、そのうち、第１ポートにおける４本のアンテナの放送権の重みは、そのうちの１本のアンテナの重みが＋１であり、他の３本のアンテナの重みが−１であり、又はそのうちの１本のアンテナの重みが−１であり、他の３本のアンテナの重みが＋１であり、第２ポートにおける４本のアンテナの放送権の重みは、そのうちの１本のアンテナの重みが＋１であり、他の３本のアンテナの重みが−１であり、又はそのうちの１本のアンテナの重みが−１であり、他の３本のアンテナの重みが＋１であり、
ダウンリンク制御信号送信モジュールは、ポートグループ化モジュールで取得された第１ポートと第２ポートによりダウンリンク制御信号を送信する、
ことを特徴とする８本のアンテナを使用するダウンリンク制御チャネルの伝送装置。
【請求項２０】
前記装置は長期進化ＬＴＥ時分割二重ＴＤＤ基地局、又はＬＴＥ  Ａ  ＴＤＤ基地局、又はＬＴＥ周波数分割二重ＦＤＤ基地局、又はＬＴＥ  Ａ  ＦＤＤ基地局に位置することを特徴とする請求項１９記載の８本のアンテナを使用するダウンリンク制御チャネルの伝送装置。
【請求項２１】
８本のアンテナを使用するダウンリンク制御チャネルの伝送装置において、
ポートグループ化モジュールは、基地局のダウンリンク伝送に使用される８本のアンテナに対して、第１と第４の二重偏波アンテナ対における＋４５度方向アンテナと第２と第３の二重偏波アンテナ対における−４５度方向アンテナを第１ポートに仮想化し、第１と第４の二重偏波アンテナ対における−４５度方向アンテナと第２と第３の二重偏波アンテナ対における＋４５度方向アンテナを第２ポートに仮想化し、そのうち、第１ポートにおける４本のアンテナの放送権の重みは、そのうちの１本のアンテナの重みが＋１であり、他の３本のアンテナの重みが−１であり、又はそのうちの１本のアンテナの重みが−１であり、他の３本のアンテナの重みが＋１であり、第２ポートにおける４本のアンテナの放送権の重みは、そのうちの１本のアンテナの重みが＋１であり、他の３本のアンテナの重みが−１であり、又はそのうちの１本のアンテナの重みが−１であり、他の３本のアンテナの重みが＋１であり、
ダウンリンク制御信号送信モジュールは、ポートグループ化モジュールで取得された第１ポートと第２ポートによりダウンリンク制御信号を送信する、
ことを特徴とする８本のアンテナを使用するダウンリンク制御チャネルの伝送装置。
【請求項２２】
前記装置は長期進化ＬＴＥ時分割二重ＴＤＤ基地局、又はＬＴＥ  Ａ  ＴＤＤ基地局、又はＬＴＥ周波数分割二重ＦＤＤ基地局、又はＬＴＥ  Ａ  ＦＤＤ基地局に位置することを特徴とする請求項２１記載の８本のアンテナを使用するダウンリンク制御チャネルの伝送装置。
【請求項２３】
８本のアンテナを使用するダウンリンク制御チャネルの伝送装置において、
ポートグループ化モジュールは、基地局のダウンリンク伝送に使用される８本のアンテナに対して、第１、第２、第３と第４の二重偏波アンテナ対における＋４５度方向アンテナを第１ポートに仮想化し、第１、第２、第３と第４の二重偏波アンテナ対における−４５度方向アンテナを第２ポートに仮想化し、そのうち、第１ポートにおける４本のアンテナの放送権の重みは、そのうちの１本のアンテナの重みが＋１であり、他の３本のアンテナの重みが−１であり、又はそのうちの１本のアンテナの重みが−１であり、他の３本のアンテナの重みが＋１であり、第２ポートにおける４本のアンテナの放送権の重みは、そのうちの１本のアンテナの重みが＋１であり、他の３本のアンテナの重みが−１であり、又はそのうちの１本のアンテナの重みが−１であり、他の３本のアンテナの重みが＋１であり、
ダウンリンク制御信号送信モジュールは第１ポートと第２ポートによりダウンリンク制御信号を送信する、
ことを特徴とする８本のアンテナを使用するダウンリンク制御チャネルの伝送装置。
【請求項２４】
前記装置は長期進化ＬＴＥ時分割二重ＴＤＤ基地局、又はＬＴＥ  Ａ  ＴＤＤ基地局、又はＬＴＥ周波数分割二重ＦＤＤ基地局、又はＬＴＥ  Ａ  ＦＤＤ基地局に位置することを特徴とする請求項２３記載の８本のアンテナを使用するダウンリンク制御チャネルの伝送装置。
【発明の詳細な説明】
【技術分野】
【０００１】
本発明はアンテナ技術分野に関し、特に８本のアンテナを使用するダウンリンク制御チャネルの伝送方法と装置に関する。
【背景技術】
【０００２】
現在、時分割二重長期進化（ＴＤ−ＬＴＥ，Ｔｉｍｅ  Ｄｉｖｉｓｉｏｎ  Ｄｕｐｌｅｘｉｎｇ−Ｌｏｎｇ  Ｔｅｒｍ  Ｅｖｏｌｕｔｉｏｎ）基地局のダウンリンク伝送には、８本のアンテナを使用することがある。しかし、ＬＴＥ周波数分割二重（ＦＤＤ，Ｆｒｅｑｕｅｎｃｙ  Ｄｉｖｉｓｏｎ  Ｄｕｐｌｅｘｉｎｇ)基地局のダウンリンク伝送は、おもに、２本のアンテナを使用する。ＴＤＤ基地局とＦＤＤ基地局上の全部アンテナの総電力が同じであれば、例えば、両方とも４０Ｗである場合、ＴＤＤ基地局における８本のアンテナのアンテナ毎の電力が５Ｗであり、ＦＤＤ基地局における２本のアンテナのアンテナ毎の電力が２０Ｗである。
【０００３】
ＦＤＤ基地局の２本のアンテナのダウンリンク制御チャネルの伝送は２×２空間周波数ブロック符号化（ＳＦＢＣ，Ｓｐａｃｅ  Ｆｒｅｑｕｅｎｃｙ  Ｂｌｏｃｋ  ｃｏｄｉｎｇ）方式を使用する。ＴＤ−ＬＴＥ基地局の８本のアンテナのダウンリンク制御チャネルの伝送方式は２種に分けられる。第１種は４ポートによる方式であり、例えば、ＳＦＢＣ＋周波数切り替え送信ダイバーシティ（ＦＳＴＤ，Ｆｒｅｑｕｅｎｃｙ  Ｓｗｉｔｃｈｅｄ  Ｔｒａｎｓｍｉｔ  Ｄｉｖｅｒｓｉｔｙ）の方式を使用する。４ポートの方式では、４ポートの共通復調パイロット（ＣＲＳ）を使用しなければならないという無視できないデメリットがあり、パイロット消費が大きい。第２種は放送権の方式である。図１は従来のＴＤ−ＬＴＥ基地局が放送権の方式でダウンリンク制御チャネルの伝送を行うイメージを示している。図１に示したように、当該方式はＦＤＤ基地局の２ポート方式を流用している。即ち、８本のアンテナをグループ化して２つのアンテナポートに仮想化し、そのうちの１ポート（即ち、ポート０）は４本の＋４５度方向アンテナから仮想化され、もう１ポート（即ち、ポート１）は４本の−４５度方向アンテナから仮想化され、そして、２×２ＳＦＢＣによりダウンリンク制御チャネルの伝送を完成する。放送権の方式は２ポートを使用するため、パイロット消費は４ポートの方式より減少し、かつポート毎の放送電力は４ポートを採用する方案のポートよりも大きいため、一定の魅力がある。しかし、同一ポートにおける４本のアンテナの中で、重みが１より小さいアンテナが存在しており、電力損失が発生するため、同じ総電力を有するＦＤＤ基地局の２本のアンテナと同程度のダウンリンク制御チャネルカバー範囲を達することができない。
【発明の概要】
【発明が解決しようとする課題】
【０００４】
本発明は８本のアンテナを使用するダウンリンク制御チャネルの伝送方法と装置を提供し、８本のアンテナを用いる基地局のダウンリンク制御チャネルのカバー範囲を拡大する。
【課題を解決するための手段】
【０００５】
本発明に係る技術案は次に記述する。
【０００６】
８本のアンテナを使用するダウンリンク制御チャネルの伝送方法において、
基地局のダウンリンク伝送に使用される８本のアンテナに対して、第１と第３の二重偏波アンテナ対を第１ポートに仮想化し、第２と第４の二重偏波アンテナ対を第２ポートに仮想化し、
そのうち、第１ポートにおける４本のアンテナの放送権の重みは、そのうちの１本のアンテナの重みが＋１であり、他の３本のアンテナの重みが−１であり、又はそのうちの１本のアンテナの重みが−１であり、他の３本のアンテナの重みが＋１であることを満足し、
第２ポートにおける４本のアンテナの放送権の重みは、そのうちの１本のアンテナの重みが＋１であり、他の３本のアンテナの重みが−１であり、又はそのうちの１本のアンテナの重みが−１であり、他の３本のアンテナの重みが＋１であることを満足することと、
基地局は第１ポートと第２ポートによりダウンリンク制御信号を送信することと、
を含む。
【０００７】
前記基地局は長期進化ＬＴＥ時分割二重ＴＤＤ基地局、又はＬＴＥ  Ａ  ＴＤＤ基地局、又はＬＴＥ周波数分割二重ＦＤＤ基地局、又はＬＴＥ  Ａ  ＦＤＤ基地局である。
【０００８】
８本のアンテナを使用するダウンリンク制御チャネルの伝送方法において、
基地局のダウンリンク伝送に使用される８本のアンテナに対して、第１と第４の二重偏波アンテナ対を第１ポートに仮想化し、第２と第３の二重偏波アンテナ対を第２ポートに仮想化し、
そのうち、第１ポートにおける４本のアンテナの放送権の重みは、そのうちの１本のアンテナの重みが＋１であり、他の３本のアンテナの重みが−１であり、又はそのうちの１本のアンテナの重みが−１であり、他の３本のアンテナの重みが＋１であり、
第２ポートにおける４本のアンテナの放送権の重みは、そのうちの１本のアンテナの重みが＋１であり、他の３本のアンテナの重みが−１であり、又はそのうちの１本のアンテナの重みが−１であり、他の３本のアンテナの重みが＋１であることと、
基地局は第１ポートと第２ポートによりダウンリンク制御信号を送信することと、
を含む。
【０００９】
前記基地局は長期進化ＬＴＥ時分割二重ＴＤＤ基地局、又はＬＴＥ  Ａ  ＴＤＤ基地局、又はＬＴＥ周波数分割二重ＦＤＤ基地局、又はＬＴＥ  Ａ  ＦＤＤ基地局である。
【００１０】
８本のアンテナを使用するダウンリンク制御チャネルの伝送方法において、
基地局のダウンリンク伝送に使用される８本のアンテナに対して、第１と第２の二重偏波アンテナ対における＋４５度方向アンテナと第３と第４の二重偏波アンテナ対における−４５度方向アンテナを第１ポートに仮想化し、第１と第２の二重偏波アンテナ対における−４５度方向アンテナと第３と第４の二重偏波アンテナ対における＋４５度方向アンテナを第２ポートに仮想化し、
そのうち、第１ポートにおける４本のアンテナの放送権の重みは、そのうちの１本のアンテナの重みが＋１であり、他の３本のアンテナの重みが−１であり、又はそのうちの１本のアンテナの重みが−１であり、他の３本のアンテナの重みが＋１であり、
第２ポートにおける４本のアンテナの放送権の重みは、そのうちの１本のアンテナの重みが＋１であり、他の３本のアンテナの重みが−１であり、又はそのうちの１本のアンテナの重みが−１であり、他の３本のアンテナの重みが＋１であることと、
基地局は第１ポートと第２ポートによりダウンリンク制御信号を送信することと、
を含む。
【００１１】
前記基地局は長期進化ＬＴＥ時分割二重ＴＤＤ基地局、又はＬＴＥ  Ａ  ＴＤＤ基地局、又はＬＴＥ周波数分割二重ＦＤＤ基地局、又はＬＴＥ  Ａ  ＦＤＤ基地局である。
【００１２】
８本のアンテナを使用するダウンリンク制御チャネルの伝送方法において、
基地局のダウンリンク伝送に使用される８本のアンテナに対して、第１と第３の二重偏波アンテナ対における＋４５度方向アンテナと第２と第４の二重偏波アンテナ対における−４５度方向アンテナを第２ポートに仮想化し、第１と第３の二重偏波アンテナ対における−４５度方向アンテナと第２と第４の二重偏波アンテナ対における＋４５度方向アンテナを第２ポートに仮想化し、
そのうち、第１ポートにおける４本のアンテナの放送権の重みは、そのうちの１本のアンテナの重みが＋１であり、他の３本のアンテナの重みが−１であり、又はそのうちの１本のアンテナの重みが−１であり、他の３本のアンテナの重みが＋１であり、
第２ポートにおける４本のアンテナの放送権の重みは、そのうちの１本のアンテナの重みが＋１であり、他の３本のアンテナの重みが−１であり、又はそのうちの１本のアンテナの重みが−１であり、他の３本のアンテナの重みが＋１であることと、
基地局は第１ポートと第２ポートによりダウンリンク制御信号を送信することと、
を含む。
【００１３】
前記基地局は長期進化ＬＴＥ時分割二重ＴＤＤ基地局、又はＬＴＥ  Ａ  ＴＤＤ基地局、又はＬＴＥ周波数分割二重ＦＤＤ基地局、又はＬＴＥ  Ａ  ＦＤＤ基地局である。
【００１４】
８本のアンテナを使用するダウンリンク制御チャネルの伝送方法において、
基地局のダウンリンク伝送に使用される８本のアンテナに対して、第１と第４の二重偏波アンテナ対における＋４５度方向アンテナと第２と第３の二重偏波アンテナ対における−４５度方向アンテナを第１ポートに仮想化し、第１と第４の二重偏波アンテナ対における−４５度方向アンテナと第２と第３の二重偏波アンテナ対における＋４５度方向アンテナを第２ポートに仮想化し、
そのうち、第１ポートにおける４本のアンテナの放送権の重みは、そのうちの１本のアンテナの重みが＋１であり、他の３本のアンテナの重みが−１であり、又はそのうちの１本のアンテナの重みが−１であり、他の３本のアンテナの重みが＋１であり、
第２ポートにおける４本のアンテナの放送権の重みは、そのうちの１本のアンテナの重みが＋１であり、他の３本のアンテナの重みが−１であり、又はそのうちの１本のアンテナの重みが−１であり、他の３本のアンテナの重みが＋１であることと、
基地局は第１ポートと第２ポートによりダウンリンク制御信号を送信することと、
を含む。
【００１５】
前記基地局は長期進化ＬＴＥ時分割二重ＴＤＤ基地局、又はＬＴＥ  Ａ  ＴＤＤ基地局、又はＬＴＥ周波数分割二重ＦＤＤ基地局、又はＬＴＥ  Ａ  ＦＤＤ基地局である。
【００１６】
８本のアンテナを使用するダウンリンク制御チャネルの伝送方法において、
基地局のダウンリンク伝送に使用される８本のアンテナに対して、第１、第２、第３と第４の二重偏波アンテナ対における＋４５度方向アンテナを第１ポートに仮想化し、第１、第２、第３と第４の二重偏波アンテナ対における−４５度方向アンテナを第２ポートに仮想化し、
そのうち、第１ポートにおける４本のアンテナの放送権の重みは、そのうちの１本のアンテナの重みが＋１であり、他の３本のアンテナの重みが−１であり、又はそのうちの１本のアンテナの重みが−１であり、他の３本のアンテナの重みが＋１であり、
第２ポートにおける４本のアンテナの放送権の重みは、そのうちの１本のアンテナの重みが＋１であり、他の３本のアンテナの重みが−１であり、又はそのうちの１本のアンテナの重みが−１であり、他の３本のアンテナの重みが＋１であることと、
基地局は第１ポートと第２ポートによりダウンリンク制御信号を送信することと、
を含む。
【００１７】
前記基地局は長期進化ＬＴＥ時分割二重ＴＤＤ基地局、又はＬＴＥ  Ａ  ＴＤＤ基地局、又はＬＴＥ周波数分割二重ＦＤＤ基地局、又はＬＴＥ  Ａ  ＦＤＤ基地局である。
【００１８】
８本のアンテナを使用するダウンリンク制御チャネルの伝送装置において、
ポートグループ化モジュールは、基地局のダウンリンク伝送に使用される８本のアンテナに対して、第１と第３の二重偏波アンテナ対を第１ポートに仮想化し、第２と第４の二重偏波アンテナ対を第２ポートに仮想化し、そのうち、第１ポートにおける４本のアンテナの放送権の重みは、そのうちの１本のアンテナの重みが＋１であり、他の３本のアンテナの重みが−１であり、又はそのうちの１本のアンテナの重みが−１であり、他の３本のアンテナの重みが＋１であることを満足し、第２ポートにおける４本のアンテナの放送権の重みは、そのうちの１本のアンテナの重みが＋１であり、他の３本のアンテナの重みが−１であり、又はそのうちの１本のアンテナの重みが−１であり、他の３本のアンテナの重みが＋１であることを満足し、
ダウンリンク制御信号送信モジュールは、ポートグループ化モジュールで取得された第１ポートと第２ポートによりダウンリンク制御信号を送信する。
【００１９】
前記装置は長期進化ＬＴＥ時分割二重ＴＤＤ基地局、又はＬＴＥ  Ａ  ＴＤＤ基地局、又はＬＴＥ周波数分割二重ＦＤＤ基地局、又はＬＴＥ  Ａ  ＦＤＤ基地局に位置する。
【００２０】
８本のアンテナを使用するダウンリンク制御チャネルの伝送装置において、
ポートグループ化モジュールは、基地局のダウンリンク伝送に使用される８本のアンテナに対して、第１と第４の二重偏波アンテナ対を第１ポートに仮想化し、第２と第３の二重偏波アンテナ対を第２ポートに仮想化し、そのうち、第１ポートにおける４本のアンテナの放送権の重みは、そのうちの１本のアンテナの重みが＋１であり、他の３本のアンテナの重みが−１であり、又はそのうちの１本のアンテナの重みが−１であり、他の３本のアンテナの重みが＋１であり、第２ポートにおける４本のアンテナの放送権の重みは、そのうちの１本のアンテナの重みが＋１であり、他の３本のアンテナの重みが−１であり、又はそのうちの１本のアンテナの重みが−１であり、他の３本のアンテナの重みが＋１であり、
ダウンリンク制御信号送信モジュールは、ポートグループ化モジュールで取得された第１ポートと第２ポートによりダウンリンク制御信号を送信する。
【００２１】
前記装置は長期進化ＬＴＥ時分割二重ＴＤＤ基地局、又はＬＴＥ  Ａ  ＴＤＤ基地局、又はＬＴＥ周波数分割二重ＦＤＤ基地局、又はＬＴＥ  Ａ  ＦＤＤ基地局に位置する。
【００２２】
８本のアンテナを使用するダウンリンク制御チャネルの伝送装置において、
ポートグループ化モジュールは、基地局のダウンリンク伝送に使用される８本のアンテナに対して、第１と第２の二重偏波アンテナ対における＋４５度方向アンテナと第３と第４の二重偏波アンテナ対における−４５度方向アンテナを第１ポートに仮想化し、第１と第２の二重偏波アンテナ対における−４５度方向アンテナと第３と第４の二重偏波アンテナ対における＋４５度方向アンテナを第２ポートに仮想化し、そのうち、第１ポートにおける４本のアンテナの放送権の重みは、そのうちの１本のアンテナの重みが＋１であり、他の３本のアンテナの重みが−１であり、又はそのうちの１本のアンテナの重みが−１であり、他の３本のアンテナの重みが＋１であり、第２ポートにおける４本のアンテナの放送権の重みは、そのうちの１本のアンテナの重みが＋１であり、他の３本のアンテナの重みが−１であり、又はそのうちの１本のアンテナの重みが−１であり、他の３本のアンテナの重みが＋１であり、
ダウンリンク制御信号送信モジュールは、ポートグループ化モジュールで取得された第１ポートと第２ポートによりダウンリンク制御信号を送信する。
【００２３】
前記装置は長期進化ＬＴＥ時分割二重ＴＤＤ基地局、又はＬＴＥ  Ａ  ＴＤＤ基地局、又はＬＴＥ周波数分割二重ＦＤＤ基地局、又はＬＴＥ  Ａ  ＦＤＤ基地局に位置する。
【００２４】
８本のアンテナを使用するダウンリンク制御チャネルの伝送装置において、
ポートグループ化モジュールは、基地局のダウンリンク伝送に使用される８本のアンテナに対して、第１と第３の二重偏波アンテナ対における＋４５度方向アンテナと第２と第４の二重偏波アンテナ対における−４５度方向アンテナを第１ポートに仮想化し、第１と第３の二重偏波アンテナ対における−４５度方向アンテナと第２と第４の二重偏波アンテナ対における＋４５度方向アンテナを第２ポートに仮想化し、そのうち、第１ポートにおける４本のアンテナの放送権の重みは、そのうちの１本のアンテナの重みが＋１であり、他の３本のアンテナの重みが−１であり、又はそのうちの１本のアンテナの重みが−１であり、他の３本のアンテナの重みが＋１であり、第２ポートにおける４本のアンテナの放送権の重みは、そのうちの１本のアンテナの重みが＋１であり、他の３本のアンテナの重みが−１であり、又はそのうちの１本のアンテナの重みが−１であり、他の３本のアンテナの重みが＋１であり、
ダウンリンク制御信号送信モジュールは、ポートグループ化モジュールで取得された第１ポートと第２ポートによりダウンリンク制御信号を送信する。
【００２５】
前記装置は長期進化ＬＴＥ時分割二重ＴＤＤ基地局、又はＬＴＥ  Ａ  ＴＤＤ基地局、又はＬＴＥ周波数分割二重ＦＤＤ基地局、又はＬＴＥ  Ａ  ＦＤＤ基地局に位置する。
【００２６】
８本のアンテナを使用するダウンリンク制御チャネルの伝送装置において、
ポートグループ化モジュールは、基地局のダウンリンク伝送に使用される８本のアンテナに対して、第１と第４の二重偏波アンテナ対における＋４５度方向アンテナと第２と第３の二重偏波アンテナ対における−４５度方向アンテナを第１ポートに仮想化し、第１と第４の二重偏波アンテナ対における−４５度方向アンテナと第２と第３の二重偏波アンテナ対における＋４５度方向アンテナを第２ポートに仮想化し、そのうち、第１ポートにおける４本のアンテナの放送権の重みは、そのうちの１本のアンテナの重みが＋１であり、他の３本のアンテナの重みが−１であり、又はそのうちの１本のアンテナの重みが−１であり、他の３本のアンテナの重みが＋１であり、第２ポートにおける４本のアンテナの放送権の重みは、そのうちの１本のアンテナの重みが＋１であり、他の３本のアンテナの重みが−１であり、又はそのうちの１本のアンテナの重みが−１であり、他の３本のアンテナの重みが＋１であり、
ダウンリンク制御信号送信モジュールは、ポートグループ化モジュールで取得された第１ポートと第２ポートによりダウンリンク制御信号を送信する。
【００２７】
前記装置は長期進化ＬＴＥ時分割二重ＴＤＤ基地局、又はＬＴＥ  Ａ  ＴＤＤ基地局、又はＬＴＥ周波数分割二重ＦＤＤ基地局、又はＬＴＥ  Ａ  ＦＤＤ基地局に位置する。
【００２８】
８本のアンテナを使用するダウンリンク制御チャネルの伝送装置において、
ポートグループ化モジュールは、基地局のダウンリンク伝送に使用される８本のアンテナに対して、第１、第２、第３と第４の二重偏波アンテナ対における＋４５度方向アンテナを第１ポートに仮想化し、第１、第２、第３と第４の二重偏波アンテナ対における−４５度方向アンテナを第２ポートに仮想化し、そのうち、第１ポートにおける４本のアンテナの放送権の重みは、そのうちの１本のアンテナの重みが＋１であり、他の３本のアンテナの重みが−１であり、又はそのうちの１本のアンテナの重みが−１であり、他の３本のアンテナの重みが＋１であり、第２ポートにおける４本のアンテナの放送権の重みは、そのうちの１本のアンテナの重みが＋１であり、他の３本のアンテナの重みが−１であり、又はそのうちの１本のアンテナの重みが−１であり、他の３本のアンテナの重みが＋１であり、
ダウンリンク制御信号送信モジュールは第１ポートと第２ポートによりダウンリンク制御信号を送信する。
【００２９】
前記装置は長期進化ＬＴＥ時分割二重ＴＤＤ基地局、又はＬＴＥ  Ａ  ＴＤＤ基地局、又はＬＴＥ周波数分割二重ＦＤＤ基地局、又はＬＴＥ  Ａ  ＦＤＤ基地局に位置する。
【発明の効果】
【００３０】
従来技術に比較して、本発明は８本のアンテナを用いる基地局のダウンリンク制御チャネルのカバー範囲を全体的に拡大できる。
【図面の簡単な説明】
【００３１】
本発明の実施形態又は従来技術の技術案を明確に記述するため、以下は本発明の実施形態と従来技術を記述するための添付の図面を簡単に説明する。無論、記述される図面は本発明の一部の実施形態だけであり、全部の実施形態ではない。本領域の技術者は新規な技術的思想を提供していない前提で、それらの図面に基づいて更に他の図面を取得できる。
【図１】従来のＴＤ−ＬＴＥ基地局が放送権の方式でダウンリンク制御チャネルの伝送を行うイメージを示す図である。
【図２】本発明の第１の実施形態による、８本のアンテナを用いる基地局のダウンリンク制御チャネルの伝送方法のフロー図である。
【図３】本発明の第１の実施形態による、８本のアンテナを用いる基地局のダウンリンク制御チャネルの伝送方法のイメージを示す図である。
【図４】本発明の第２の実施形態による、８本のアンテナを用いる基地局のダウンリンク制御チャネルの伝送方法のフロー図である。
【図５】本発明の第２の実施形態による、８本のアンテナを用いる基地局のダウンリンク制御チャネルの伝送方法のイメージを示す図である。
【図６】本発明の第３の実施形態による、８本のアンテナを用いる基地局のダウンリンク制御チャネルの伝送方法のフロー図である。
【図７】本発明の第４の実施形態による、８本のアンテナを用いる基地局のダウンリンク制御チャネルの伝送方法のイメージを示す図である。
【図８】本発明の第４の実施形態による、８本のアンテナを用いる基地局のダウンリンク制御チャネルの伝送方法のフロー図である。
【図９】本発明の第４の実施形態による、８本のアンテナを用いる基地局のダウンリンク制御チャネルの伝送方法のイメージを示す図である。
【図１０】本発明の第５の実施形態による、８本のアンテナを用いる基地局のダウンリンク制御チャネルの伝送方法のフロー図である。
【図１１】本発明の第５の実施形態による、８本のアンテナを用いる基地局のダウンリンク制御チャネルの伝送方法のイメージを示す図である。
【図１２】本発明の第６の実施形態による、８本のアンテナを用いる基地局のダウンリンク制御チャネルの伝送方法のフロー図である。
【図１３】本発明の第６の実施形態による、８本のアンテナを用いる基地局のダウンリンク制御チャネルの伝送方法のイメージを示す図である。
【図１４】本発明の第１の実施形態による、８本のアンテナを使用するダウンリンク制御チャネルの伝送装置の構造イメージを示す図である。
【図１５】本発明の第１〜第６の実施形態に係る方法と従来の放送権による技術案のシミュレーション結果の対比図である。
【発明を実施するための形態】
【００３２】
以下は添付した図面と具体的な実施形態を結合して本発明を詳述する。
【００３３】
図２は本発明の第１の実施形態による、８本のアンテナを用いる基地局のダウンリンク制御チャネルの伝送方法のフロー図である。図２に示したように、以下のステップを含み、
ステップ２０１：基地局のダウンリンク伝送に使用される８本のアンテナに対して、第１と第３の二重偏波アンテナ対をポート０に仮想化し、第２と第４の二重偏波アンテナ対をポート１に仮想化する。そのうち、ポート０の４本のアンテナの放送権の重みは、そのうちの１本のアンテナの重みが＋１であり、他の３本のアンテナの重みが−１であり、又はそのうちの１本のアンテナの重みが−１であり、他の３本のアンテナの重みが＋１であり、ポート１の４本のアンテナの放送権の重みは、そのうちの１本のアンテナの重みが＋１であり、他の３本のアンテナの重みが−１であり、又はそのうちの１本のアンテナの重みが−１であり、他の３本のアンテナの重みが＋１である。
【００３４】
ステップ２０２：基地局はポート０とポート１によりダウンリンク制御信号を送信する。
【００３５】
図３は本発明の第１の実施形態による、８本のアンテナを用いる基地局のダウンリンク制御チャネルの伝送方法のイメージを示す図である。
【００３６】
図４は本発明の第２の実施形態による、８本のアンテナを用いる基地局のダウンリンク制御チャネルの伝送方法のフロー図である。図４に示したように、以下のステップを含み、
ステップ４０１：基地局のダウンリンク伝送に使用される８本のアンテナに対して、第１と第４の二重偏波アンテナ対をポート０に仮想化し、第２と第３の二重偏波アンテナ対をポート１に仮想化する。そのうち、ポート０の４本のアンテナの放送権の重みは、そのうちの１本のアンテナの重みが＋１であり、他の３本のアンテナの重みが−１であり、又はそのうちの１本のアンテナの重みが−１であり、他の３本のアンテナの重みが＋１であり、ポート１の４本のアンテナの放送権の重みは、そのうちの１本のアンテナの重みが＋１であり、他の３本のアンテナの重みが−１であり、又はそのうちの１本のアンテナの重みが−１であり、他の３本のアンテナの重みが＋１である。
【００３７】
ステップ４０２：基地局はポート０とポート１によりダウンリンク制御信号を送信する。
【００３８】
図５は本発明の第２の実施形態による、８本のアンテナを用いる基地局のダウンリンク制御チャネルの伝送方法のイメージを示す図である。
【００３９】
図６は本発明の第３の実施形態による、８本のアンテナを用いる基地局のダウンリンク制御チャネルの伝送方法のフロー図である。図６に示したように、以下のステップを含み、
ステップ６０１：基地局のダウンリンク伝送に使用される８本のアンテナに対して、第１と第２の二重偏波アンテナ対における＋４５度方向アンテナと第３と第４の二重偏波アンテナ対における−４５度方向アンテナをポート０に仮想化し、第１と第２の二重偏波アンテナ対における−４５度方向アンテナと第３と第４の二重偏波アンテナ対における＋４５方向のアンテナをポート１に仮想化し、そのうち、ポート０の４本のアンテナの放送権の重みは、そのうちの１本のアンテナの重みが＋１であり、他の３本のアンテナの重みが−１であり、又はそのうちの１本のアンテナの重みが−１であり、他の３本のアンテナの重みが＋１であり、ポート１の４本のアンテナの放送権の重みは、そのうちの１本のアンテナの重みが＋１であり、他の３本のアンテナの重みが−１であり、又はそのうちの１本のアンテナの重みが−１であり、他の３本のアンテナの重みが＋１である。
【００４０】
ステップ６０２：基地局はポート０とポート１によりダウンリンク制御信号を送信する。
【００４１】
図７は本発明の第３の実施形態による、８本のアンテナを用いる基地局のダウンリンク制御チャネルの伝送方法のイメージを示す図である。
【００４２】
図８は本発明の第４の実施形態による、８本のアンテナを用いる基地局のダウンリンク制御チャネルの伝送方法のフロー図である。図８に示したように、以下のステップを含み、
ステップ８０１：基地局のダウンリンク伝送に使用される８本のアンテナに対して、第１と第３の二重偏波アンテナ対における＋４５度方向アンテナと第２と第４の二重偏波アンテナ対における−４５方向のアンテナをポート０に仮想化し、第１と第３の二重偏波アンテナ対における−４５度方向アンテナと第２と第４の二重偏波アンテナ対における＋４５方向のアンテナをポート１に仮想化し、そのうち、ポート０の４本のアンテナの放送権の重みは、そのうちの１本のアンテナの重みが＋１であり、他の３本のアンテナの重みが−１であり、又はそのうちの１本のアンテナの重みが−１であり、他の３本のアンテナの重みが＋１であり、ポート１の４本のアンテナの放送権の重みは、そのうちの１本のアンテナの重みが＋１であり、他の３本のアンテナの重みが−１であり、又はそのうちの１本のアンテナの重みが−１であり、他の３本のアンテナの重みが＋１である。
【００４３】
ステップ８０２：基地局はポート０とポート１によりダウンリンク制御信号を送信する。
【００４４】
図９は本発明の第４の実施形態による、８本のアンテナを用いる基地局のダウンリンク制御チャネルの伝送方法のイメージを示す図である。
【００４５】
図１０は本発明の第５の実施形態による、８本のアンテナを用いる基地局のダウンリンク制御チャネルの伝送方法のフロー図である。図１０に示したように、以下のステップを含み、
ステップ１００１：基地局のダウンリンク伝送に使用される８本のアンテナに対して、第１と第４の二重偏波アンテナ対における＋４５度方向アンテナと第２と第３の二重偏波アンテナ対における−４５度方向アンテナをポート０に仮想化し、第１と第４の二重偏波アンテナ対における−４５度方向アンテナと第２と第３の二重偏波アンテナ対における＋４５度方向アンテナをポート１に仮想化し、そのうち、ポート０の４本のアンテナの放送権の重みは、そのうちの１本のアンテナの重みが＋１であり、他の３本のアンテナの重みが−１であり、又はそのうちの１本のアンテナの重みが−１であり、他の３本のアンテナの重みが＋１であり、ポート１の４本のアンテナの放送権の重みは、そのうちの１本のアンテナの重みが＋１であり、他の３本のアンテナの重みが−１であり、又はそのうちの１本のアンテナの重みが−１であり、他の３本のアンテナの重みが＋１である。
【００４６】
ステップ１００２：基地局はポート０とポート１によりダウンリンク制御信号を送信する。
【００４７】
図１１は本発明の第５の実施形態による、８本のアンテナを用いる基地局のダウンリンク制御チャネルの伝送方法のイメージを示す図である。
【００４８】
図１２本発明の第６の実施形態による、８本のアンテナを用いる基地局のダウンリンク制御チャネルの伝送方法のフロー図である。図１２に示したように、以下のステップを含み、
ステップ１２０１：基地局のダウンリンク伝送に使用される８本のアンテナに対して、第１、２、３、４の二重偏波アンテナ対における＋４５度方向アンテナをポート０に仮想化し、第１、２、３、４の二重偏波アンテナ対における−４５度方向アンテナをポート１に仮想化する。そのうち、ポート０の４本のアンテナの放送権の重みは、そのうちの１本のアンテナの重みが＋１であり、他の３本のアンテナの重みが−１であり、又はそのうちの１本のアンテナの重みが−１であり、他の３本のアンテナの重みが＋１であり、ポート１の４本のアンテナの放送権の重みは、そのうちの１本のアンテナの重みが＋１であり、他の３本のアンテナの重みが−１であり、又はそのうちの１本のアンテナの重みが−１であり、他の３本のアンテナの重みが＋１である。
【００４９】
ステップ１２０２：基地局はポート０とポート１によりダウンリンク制御信号を送信する。
【００５０】
図１３は本発明の第６の実施形態による、８本のアンテナを用いる基地局のダウンリンク制御チャネルの伝送方法のイメージを示す図である。
【００５１】
説明したいのは、本発明の任意の実施形態におけるポート０とポート１に対して、当該２ポートにおける４本のアンテナの重みは同じであっても良いし、同じでなくても良い。例えば、ポート１の場合、ポート１の４本のアンテナの重みをポート０の４本のアンテナの重みと完全に同じにしても良いし、同じにしなくても良い。
【００５２】
本発明の第１〜第６の実施形態における基地局はＬＴＥＴＤＤ基地局、又はＬＴＥ  Ａ  ＴＤＤ基地局、又はＬＴＥ  ＦＤＤ基地局、又はＬＴＥ  Ａ  ＦＤＤ基地局であっても良い。
【００５３】
図１４は本発明の第１の実施形態による、８本のアンテナを使用するダウンリンク制御チャネルの伝送装置の構造イメージを示す図であり、図１４に示したように、ポートグループ化モジュールとダウンリンク制御信号送信モジュールとを含み、そのうち、
ポートグループ化モジュールは、基地局のダウンリンク伝送に使用される８本のアンテナに対して、第１と第３の二重偏波アンテナ対を第１ポートに仮想化し、第２と第４の二重偏波アンテナ対を第２ポートに仮想化し、そのうち、第１ポートにおける４本のアンテナの放送権の重みは、そのうちの１本のアンテナの重みが＋１であり、他の３本のアンテナの重みが−１であり、又はそのうちの１本のアンテナの重みが−１であり、他の３本のアンテナの重みが＋１であることを満足し、第２ポートにおける４本のアンテナの放送権の重みは、そのうちの１本のアンテナの重みが＋１であり、他の３本のアンテナの重みが−１であり、又はそのうちの１本のアンテナの重みが−１であり、他の３本のアンテナの重みが＋１であることを満足し、各ポート番号とアンテナ標識の対応関係を記録し、又、各ポートに含まれた各アンテナの放送権の重みを記録する。
【００５４】
ダウンリンク制御信号送信モジュールは、ポートグループ化モジュールで記録された各ポート番号とアンテナ標識の対応関係、及び各ポートに含まれた各アンテナの放送権の重みにより、第１ポートと第２ポートによりダウンリンク制御信号を送信する。
【００５５】
図１４に示した装置はＬＴＥＴＤＤ基地局、又はＬＴＥ  Ａ  ＴＤＤ基地局、又はＬＴＥ  ＦＤＤ基地局、又はＬＴＥ  Ａ  ＦＤＤ基地局に位置することができる。
【００５６】
以下は本発明の第２の実施形態による、８本のアンテナを使用するダウンリンク制御チャネルの伝送装置の構造を示し、主にポートグループ化モジュールとダウンリンク制御信号送信モジュールを含み、そのうち、
ポートグループ化モジュールは、基地局のダウンリンク伝送に使用される８本のアンテナに対して、第１と第４の二重偏波アンテナ対におけるアンテナを第１ポートに仮想化し、第２と第３の二重偏波アンテナ対におけるアンテナを第２ポートに仮想化し、そのうち、第１ポートにおける４本のアンテナの放送権の重みは、そのうちの１本のアンテナの重みが＋１であり、他の３本のアンテナの重みが−１であり、又はそのうちの１本のアンテナの重みが−１であり、他の３本のアンテナの重みが＋１であり、第２ポートにおける４本のアンテナの放送権の重みは、そのうちの１本のアンテナの重みが＋１であり、他の３本のアンテナの重みが−１であり、又はそのうちの１本のアンテナの重みが−１であり、他の３本のアンテナの重みが＋１であり、各ポート番号とアンテナ標識の対応関係を記録し、又、各ポートに含まれた各アンテナの放送権の重みを記録する。
【００５７】
ダウンリンク制御信号送信モジュールは、ポートグループ化モジュールで記録された各ポート番号とアンテナ標識の対応関係、及び各ポートに含まれた各アンテナの放送権の重みにより、第１ポートと第２ポートによりダウンリンク制御信号を送信する。
【００５８】
本発明の第２の実施形態に係る装置はＬＴＥＴＤＤ基地局、又はＬＴＥ  Ａ  ＴＤＤ基地局、又はＬＴＥ  ＦＤＤ基地局、又はＬＴＥ  Ａ  ＦＤＤ基地局に位置することができる。
【００５９】
以下は本発明の第３の実施形態による、８本のアンテナを使用するダウンリンク制御チャネルの伝送装置の構造を示し、主にポートグループ化モジュールとダウンリンク制御信号送信モジュールを含み、そのうち、
ポートグループ化モジュールは、基地局のダウンリンク伝送に使用される８本のアンテナに対して、第１と第２の二重偏波アンテナ対における＋４５度方向アンテナと第３と第４の二重偏波アンテナ対における−４５度方向アンテナを第１ポート仮想化し、第１と第２の二重偏波アンテナ対における−４５度方向アンテナと第３と第４の二重偏波アンテナ対における＋４５度方向アンテナを第２ポートに仮想化し、そのうち、第１ポートにおける４本のアンテナの放送権の重みは、そのうちの１本のアンテナの重みが＋１であり、他の３本のアンテナの重みが−１であり、又はそのうちの１本のアンテナの重みが−１であり、他の３本のアンテナの重みが＋１であり、第２ポートにおける４本のアンテナの放送権の重みは、そのうちの１本のアンテナの重みが＋１であり、他の３本のアンテナの重みが−１であり、又はそのうちの１本のアンテナの重みが−１であり、他の３本のアンテナの重みが＋１であり、各ポート番号とアンテナ標識の対応関係を記録し、又、各ポートに含まれた各アンテナの放送権の重みを記録する。
【００６０】
ダウンリンク制御信号送信モジュールは、ポートグループ化モジュールで記録された各ポート番号とアンテナ標識の対応関係、及び各ポートに含まれた各アンテナの放送権の重みにより、第１ポートと第２ポートによりダウンリンク制御信号を送信する。
【００６１】
本発明の第３の実施形態に係る装置はＬＴＥＴＤＤ基地局、又はＬＴＥ  Ａ  ＴＤＤ基地局、又はＬＴＥ  ＦＤＤ基地局、又はＬＴＥ  Ａ  ＦＤＤ基地局に位置することができる。
【００６２】
以下は本発明の第４の実施形態による、８本のアンテナを使用するダウンリンク制御チャネルの伝送装置の構造を示し、主にポートグループ化モジュールとダウンリンク制御信号送信モジュールを含み、そのうち、
ポートグループ化モジュールは、基地局のダウンリンク伝送に使用される８本のアンテナに対して、第１と第３の二重偏波アンテナ対における＋４５度方向アンテナと第２と第４の二重偏波アンテナ対における−４５度方向アンテナを第１ポートに仮想化し、第１と第３の二重偏波アンテナ対における−４５度方向アンテナと第２と第４の二重偏波アンテナ対における＋４５度方向アンテナを第２ポートに仮想化し、そのうち、第１ポートにおける４本のアンテナの放送権の重みは、そのうちの１本のアンテナの重みが＋１であり、他の３本のアンテナの重みが−１であり、又はそのうちの１本のアンテナの重みが−１であり、他の３本のアンテナの重みが＋１であり、第２ポートにおける４本のアンテナの放送権の重みは、そのうちの１本のアンテナの重みが＋１であり、他の３本のアンテナの重みが−１であり、又はそのうちの１本のアンテナの重みが−１であり、他の３本のアンテナの重みが＋１であり、各ポート番号とアンテナ標識の対応関係を記録し、又、各ポートに含まれた各アンテナの放送権の重みを記録する。
【００６３】
ダウンリンク制御信号送信モジュールは、ポートグループ化モジュールで記録された各ポート番号とアンテナ標識の対応関係、及び各ポートに含まれた各アンテナの放送権の重みにより、第１ポートと第２ポートによりダウンリンク制御信号を送信する。
【００６４】
本発明の第４の実施形態に係る装置はＬＴＥＴＤＤ基地局、又はＬＴＥ  Ａ  ＴＤＤ基地局、又はＬＴＥ  ＦＤＤ基地局、又はＬＴＥ  Ａ  ＦＤＤ基地局に位置することができる。
【００６５】
以下は本発明の第５の実施形態による、８本のアンテナを使用するダウンリンク制御チャネルの伝送装置の構造を示し、主にポートグループ化モジュールとダウンリンク制御信号送信モジュールを含み、そのうち、
ポートグループ化モジュールは、基地局のダウンリンク伝送に使用される８本のアンテナに対して、第１と第４の二重偏波アンテナ対における＋４５度方向アンテナと第２と第３の二重偏波アンテナ対における−４５度方向アンテナを第１ポートに仮想化し、第１と第４の二重偏波アンテナ対における−４５度方向アンテナと第２と第３の二重偏波アンテナ対における＋４５度方向アンテナを第２ポートに仮想化し、そのうち、第１ポートにおける４本のアンテナの放送権の重みは、そのうちの１本のアンテナの重みが＋１であり、他の３本のアンテナの重みが−１であり、又はそのうちの１本のアンテナの重みが−１であり、他の３本のアンテナの重みが＋１であり、第２ポートにおける４本のアンテナの放送権の重みは、そのうちの１本のアンテナの重みが＋１であり、他の３本のアンテナの重みが−１であり、又はそのうちの１本のアンテナの重みが−１であり、他の３本のアンテナの重みが＋１であり、各ポート番号とアンテナ標識の対応関係を記録し、又、各ポートに含まれた各アンテナの放送権の重みを記録する。
【００６６】
ダウンリンク制御信号送信モジュールは、ポートグループ化モジュールで記録された各ポート番号とアンテナ標識の対応関係、及び各ポートに含まれた各アンテナの放送権の重みにより、第１ポートと第２ポートによりダウンリンク制御信号を送信する。
【００６７】
本発明の第５の実施形態に係る装置はＬＴＥＴＤＤ基地局、又はＬＴＥ  Ａ  ＴＤＤ基地局、又はＬＴＥ  ＦＤＤ基地局、又はＬＴＥ  Ａ  ＦＤＤ基地局に位置することができる。
【００６８】
以下は本発明の第６の実施形態による、８本のアンテナを使用するダウンリンク制御チャネルの伝送装置の構造を示し、主にポートグループ化モジュールとダウンリンク制御信号送信モジュールを含み、そのうち、
ポートグループ化モジュールは、基地局のダウンリンク伝送に使用される８本のアンテナに対して、第１、第２、第３と第４の二重偏波アンテナ対における＋４５度方向アンテナを第１ポートに仮想化し、第１、第２、第３と第４の二重偏波アンテナ対における−４５度方向アンテナを第２ポートに仮想化し、そのうち、第１ポートにおける４本のアンテナの放送権の重みは、そのうちの１本のアンテナの重みが＋１であり、他の３本のアンテナの重みが−１であり、又はそのうちの１本のアンテナの重みが−１であり、他の３本のアンテナの重みが＋１であり、第２ポートにおける４本のアンテナの放送権の重みは、そのうちの１本のアンテナの重みが＋１であり、他の３本のアンテナの重みが−１であり、又はそのうちの１本のアンテナの重みが−１であり、他の３本のアンテナの重みが＋１であり、各ポート番号とアンテナ標識の対応関係を記録し、又、各ポートに含まれた各アンテナの放送権の重みを記録する。
【００６９】
ダウンリンク制御信号送信モジュールは、ポートグループ化モジュールで記録された各ポート番号とアンテナ標識の対応関係、及び各ポートに含まれた各アンテナの放送権の重みにより、第１ポートと第２ポートによりダウンリンク制御信号を送信する。
【００７０】
本発明の第６の実施形態に係る装置はＬＴＥＴＤＤ基地局、又はＬＴＥ  Ａ  ＴＤＤ基地局、又はＬＴＥ  ＦＤＤ基地局、又はＬＴＥ  Ａ  ＦＤＤ基地局に位置することができる。
【００７１】
実験で証明されたように、本発明に係る、８本のアンテナを使用するダウンリンク制御チャネルの伝送方法を使用すれば、ダウンリンク制御チャネルの性能はＬＴＥ  ＦＤＤ基地局の２本のアンテナと同程度のダウンリンク制御チャネル性能に達することができ、更にそれを超過できる。
【００７２】
以下は同一シミュレーションシナリオにおいて、本発明の６つの実施形態に係る方法と従来の放送権による方法を対比した。
【００７３】
シミュレーション条件は次の通りである。
【００７４】
シミュレーションシナリオは第三世代パートナープロジェクトの二次元アンテナシナリオ１（３ＧＰＰ  Ｃａｓｅ  １−２Ｄ）である。基地局をＴＤ−ＬＴＥ基地局に設定して、当該基地局のダウンリンク伝送は８本（４対）の二重偏波アンテナを使用し、隣接する２つのアンテナ対の間隔は０．５倍の波長であり、又、ユーザー装置（ＵＥ，Ｕｓｅｒ  Ｅｑｕｉｐｍｅｎｔ）側では、２本の同偏波アンテナを使用して、２本のアンテナ間の距離が０．５倍の波長であるように設定する。
【００７５】
シャドウフェージングの影響を考慮しないように設定する。
【００７６】
以下はシミュレーションの過程である。
【００７７】
１台のＴＤ−ＬＴＥ基地局を選択して、当該ＴＤ−ＬＴＥ基地局より１００メートル離れた場所に、当該ＴＤ−ＬＴＥ基地局セクタのアンテナメインローブから両側まで１０度毎に１つのＵＥを対応して、高速フェージングを考慮するように設定する。各方法に対して、本発明の第１〜第６の実施形態に係る各方法と従来の放送権による方法に対して、各ＵＥの二本のアンテナがＴＤ−ＬＴＥ基地局の各ポート、即ち、ポート０とポート１から受信されたダウンリンク制御信号の電力値を記録する。各方法に対して、予定期間内の各ＵＥの二本のアンテナがＴＤ−ＬＴＥ基地局の各ポート、即ち、ポート０とポート１から受信されたダウンリンク制御信号の電力値の和に対して線形平均を計算する。
【００７８】
図１５はシミュレーション結果の対比図である。そのうち、横軸は１０度を単位とする。ＴＤ−ＬＴＥ基地局セクタのアンテナメインローブから両側まで１０度毎に１つのＵＥを対応しているため、図１５において、横軸上の各整数点は１つのＵＥを代表し、全部で２５台のＵＥがあり、当該整数点が中央に近ければ近いほど、アンテナメインローブに近いということを表示する。縦軸は予定の期間内でＵＥの二本のアンテナがＴＤ−ＬＴＥ基地局のポート０から受信されたダウンリンク制御信号の電力和の線形平均値を表示し、ｄｂｍを単位とする。
【００７９】
図１５の右上角に曲線毎に対応する方法を示している。そのうち、
方法０：従来の放送権による方法であり、即ち、ポート０は４本の＋４５度方向アンテナから仮想化され、ポート１は４本の−４５度方向アンテナから仮想化され、ポート０の４本のアンテナの放送権の重みは［−０．６２３０−０．００２５ｊ，１．０，１．０，０．２９８６−０．００２０ｊ］であり、ポート１の４本のアンテナの放送権の重みも［−０．６２３０−０．００２５ｊ，１．０，１．０，０．２９８６−０．００２０ｊ］である。
【００８０】
方法１１：本発明の第１の実施形態であり、そのうち、ポート０とポート１の４本のアンテナの重みは［１，  １，  １，−１］である。
【００８１】
方法１２：本発明の第１の実施形態であり、そのうち、ポート０とポート１の４本のアンテナの重みは［１，−１，  １，  １］である。
【００８２】
方法２１：本発明の第２の実施形態であり、そのうち、ポート０とポート１の４本のアンテナの重みは［１，  １，  １，−１］である。
【００８３】
方法２２：本発明の第２の実施形態であり、そのうち、ポート０とポート１の４本のアンテナの重みは［１，−１，  １，  １］である。
【００８４】
方法３１：本発明の第３の実施形態であり、そのうち、ポート０とポート１の４本のアンテナの重みは［１，  １，  １，−１］である。
【００８５】
方法３２：本発明の第３の実施形態であり、そのうち、ポート０とポート１の４本のアンテナの重みは［１，−１，  １，  １］である。
【００８６】
方法４１：本発明の第４の実施形態であり、そのうち、ポート０とポート１の４本のアンテナの重みは［１，  １，  １，−１］である。
【００８７】
方法４２：本発明の第４の実施形態であり、そのうち、ポート０とポート１の４本のアンテナの重みは［１，−１，  １，  １］である。
【００８８】
方法５１：本発明の第５の実施形態であり、そのうち、ポート０とポート１の４本のアンテナの重みは［１，  １，  １，−１］である。
【００８９】
方法５２：本発明の第５の実施形態であり、そのうち、ポート０とポート１の４本のアンテナの重みは［１，−１，  １，  １］である。
【００９０】
方法６１：本発明の第６の実施形態であり、そのうち、ポート０とポート１の４本のアンテナの重みは［１，  １，  １，−１］である。
【００９１】
方法６２：本発明の第６の実施形態であり、そのうち、ポート０とポート１の４本のアンテナの重みは［１，−１，  １，  １］である。
【００９２】
図１５から見出されるように、ＴＤ−ＬＴＥ基地局セクタのアンテナメインローブの近くに、従来の放送権による方法で提供されたダウンリンク制御チャネルの性能は本発明の実施形態に係る６種の方法より優れている。しかし、全体からみると、本発明の実施形態に係る６つの方法で提供されたダウンリンク制御チャネルの全体的性能は全て従来の放送権による方法より優れている。
【００９３】
以上は本発明の好ましい実施形態のみを記述したが、本発明を制限するものではない。本発明の精神と原則を逸脱しない範囲内の修正や同等の代替や改善等は、全て本発明の保護範囲内となるべきである。
【００９４】
本出願は２０１０年０８月２３日に、中国特許局に提出した、出願番号が２０１０１０２６１１７７．９で、発明の名称が「８本のアンテナを使用するダウンリンク制御チャネルの伝送方法と装置」である中国特許出願の優先権を要求し、上記全ての内容は参照することにより本出願に組み込まれている。
【図１】
2013541256.tif 000003
【図２】
2013541256.tif 000004
【図３】
2013541256.tif 000005
【図４】
2013541256.tif 000006
【図５】
2013541256.tif 000007
【図６】
2013541256.tif 000008
【図７】
2013541256.tif 000009
【図８】
2013541256.tif 000010
【図９】
2013541256.tif 000011
【図１０】
2013541256.tif 000012
【図１１】
2013541256.tif 000013
【図１２】
2013541256.tif 000014
【図１３】
2013541256.tif 000015
【図１４】
2013541256.tif 000016
【図１５】
2013541256.tif 000017
【手続補正書】
【提出日】平成25年3月1日(2013.3.1)
【手続補正１】
【補正対象書類名】特許請求の範囲
【補正対象項目名】全文
【補正方法】変更
【補正の内容】
【特許請求の範囲】
【請求項１】
８本のアンテナを使用するダウンリンク制御チャネルの伝送方法において、
基地局のダウンリンク伝送に使用される８本のアンテナに対して、第１と第３の二重偏波アンテナ対を第１ポートに仮想化し、第２と第４の二重偏波アンテナ対を第２ポートに仮想化し、
そのうち、第１ポートにおける４本のアンテナの放送権の重みは、そのうちの１本のアンテナの重みが＋１であり、他の３本のアンテナの重みが−１であり、又はそのうちの１本のアンテナの重みが−１であり、他の３本のアンテナの重みが＋１であることを満足し、
第２ポートにおける４本のアンテナの放送権の重みは、そのうちの１本のアンテナの重みが＋１であり、他の３本のアンテナの重みが−１であり、又はそのうちの１本のアンテナの重みが−１であり、他の３本のアンテナの重みが＋１であることを満足し、
基地局は第１ポートと第２ポートによりダウンリンク制御信号を送信する、
ことを特徴とする８本のアンテナを使用するダウンリンク制御チャネルの伝送方法。
【請求項２】
８本のアンテナを使用するダウンリンク制御チャネルの伝送方法において、
基地局のダウンリンク伝送に使用される８本のアンテナに対して、第１と第４の二重偏波アンテナ対を第１ポートに仮想化し、第２と第３の二重偏波アンテナ対を第２ポートに仮想化し、
そのうち、第１ポートにおける４本のアンテナの放送権の重みは、そのうちの１本のアンテナの重みが＋１であり、他の３本のアンテナの重みが−１であり、又はそのうちの１本のアンテナの重みが−１であり、他の３本のアンテナの重みが＋１であり、
第２ポートにおける４本のアンテナの放送権の重みは、そのうちの１本のアンテナの重みが＋１であり、他の３本のアンテナの重みが−１であり、又はそのうちの１本のアンテナの重みが−１であり、他の３本のアンテナの重みが＋１であり、
基地局は第１ポートと第２ポートによりダウンリンク制御信号を送信する、
ことを特徴とする８本のアンテナを使用するダウンリンク制御チャネルの伝送方法。
【請求項３】
８本のアンテナを使用するダウンリンク制御チャネルの伝送方法において、
基地局のダウンリンク伝送に使用される８本のアンテナに対して、第１と第２の二重偏波アンテナ対における＋４５度方向アンテナと第３と第４の二重偏波アンテナ対における−４５度方向アンテナを第１ポートに仮想化し、第１と第２の二重偏波アンテナ対における−４５度方向アンテナと第３と第４の二重偏波アンテナ対における＋４５度方向アンテナを第２ポートに仮想化し、
そのうち、第１ポートにおける４本のアンテナの放送権の重みは、そのうちの１本のアンテナの重みが＋１であり、他の３本のアンテナの重みが−１であり、又はそのうちの１本のアンテナの重みが−１であり、他の３本のアンテナの重みが＋１であり、
第２ポートにおける４本のアンテナの放送権の重みは、そのうちの１本のアンテナの重みが＋１であり、他の３本のアンテナの重みが−１であり、又はそのうちの１本のアンテナの重みが−１であり、他の３本のアンテナの重みが＋１であり、
基地局は第１ポートと第２ポートによりダウンリンク制御信号を送信する、
ことを特徴とする８本のアンテナを使用するダウンリンク制御チャネルの伝送方法。
【請求項４】
８本のアンテナを使用するダウンリンク制御チャネルの伝送方法において、
基地局のダウンリンク伝送に使用される８本のアンテナに対して、第１と第３の二重偏波アンテナ対における＋４５度方向アンテナと第２と第４の二重偏波アンテナ対における−４５度方向アンテナを第１ポートに仮想化し、第１と第３の二重偏波アンテナ対における−４５度方向アンテナと第２と第４の二重偏波アンテナ対における＋４５度方向アンテナを第２ポートに仮想化し、
そのうち、第１ポートにおける４本のアンテナの放送権の重みは、そのうちの１本のアンテナの重みが＋１であり、他の３本のアンテナの重みが−１であり、又はそのうちの１本のアンテナの重みが−１であり、他の３本のアンテナの重みが＋１であり、
第２ポートにおける４本のアンテナの放送権の重みは、そのうちの１本のアンテナの重みが＋１であり、他の３本のアンテナの重みが−１であり、又はそのうちの１本のアンテナの重みが−１であり、他の３本のアンテナの重みが＋１であり、
基地局は第１ポートと第２ポートによりダウンリンク制御信号を送信する、
ことを特徴とする８本のアンテナを使用するダウンリンク制御チャネルの伝送方法。
【請求項５】
８本のアンテナを使用するダウンリンク制御チャネルの伝送方法において、
基地局のダウンリンク伝送に使用される８本のアンテナに対して、第１と第４の二重偏波アンテナ対における＋４５度方向アンテナと第２と第３の二重偏波アンテナ対における−４５度方向アンテナを第１ポートに仮想化し、第１と第４の二重偏波アンテナ対における−４５度方向アンテナと第２と第３の二重偏波アンテナ対における＋４５度方向アンテナを第２ポートに仮想化し、
そのうち、第１ポートにおける４本のアンテナの放送権の重みは、そのうちの１本のアンテナの重みが＋１であり、他の３本のアンテナの重みが−１であり、又はそのうちの１本のアンテナの重みが−１であり、他の３本のアンテナの重みが＋１であり、
第２ポートにおける４本のアンテナの放送権の重みは、そのうちの１本のアンテナの重みが＋１であり、他の３本のアンテナの重みが−１であり、又はそのうちの１本のアンテナの重みが−１であり、他の３本のアンテナの重みが＋１であり、
基地局は第１ポートと第２ポートによりダウンリンク制御信号を送信する、
ことを特徴とする８本のアンテナを使用するダウンリンク制御チャネルの伝送方法。
【請求項６】
８本のアンテナを使用するダウンリンク制御チャネルの伝送方法において、
基地局のダウンリンク伝送に使用される８本のアンテナに対して、第１、第２、第３と第４の二重偏波アンテナ対における＋４５度方向アンテナを第１ポートに仮想化し、第１、第２、第３と第４の二重偏波アンテナ対における−４５度方向アンテナを第２ポートに仮想化し、
そのうち、第１ポートにおける４本のアンテナの放送権の重みは、そのうちの１本のアンテナの重みが＋１であり、他の３本のアンテナの重みが−１であり、又はそのうちの１本のアンテナの重みが−１であり、他の３本のアンテナの重みが＋１であり、
第２ポートにおける４本のアンテナの放送権の重みは、そのうちの１本のアンテナの重みが＋１であり、他の３本のアンテナの重みが−１であり、又はそのうちの１本のアンテナの重みが−１であり、他の３本のアンテナの重みが＋１であることと、
基地局は第１ポートと第２ポートによりダウンリンク制御信号を送信する、
ことを特徴とする８本のアンテナを使用するダウンリンク制御チャネルの伝送方法。
【請求項７】
前記基地局は長期進化ＬＴＥ時分割二重ＴＤＤ基地局、又はＬＴＥ  Ａ  ＴＤＤ基地局、又はＬＴＥ周波数分割二重ＦＤＤ基地局、又はＬＴＥ  Ａ  ＦＤＤ基地局である、
ことを特徴とする請求項１〜６のいずれか一項に記載の８本のアンテナを使用するダウンリンク制御チャネルの伝送方法。
【請求項８】
８本のアンテナを使用するダウンリンク制御チャネルの伝送装置において、
ポートグループ化モジュールは、基地局のダウンリンク伝送に使用される８本のアンテナに対して、第１と第３の二重偏波アンテナ対を第１ポートに仮想化し、第２と第４の二重偏波アンテナ対を第２ポートに仮想化し、そのうち、第１ポートにおける４本のアンテナの放送権の重みは、そのうちの１本のアンテナの重みが＋１であり、他の３本のアンテナの重みが−１であり、又はそのうちの１本のアンテナの重みが−１であり、他の３本のアンテナの重みが＋１であることを満足し、第２ポートにおける４本のアンテナの放送権の重みは、そのうちの１本のアンテナの重みが＋１であり、他の３本のアンテナの重みが−１であり、又はそのうちの１本のアンテナの重みが−１であり、他の３本のアンテナの重みが＋１であることを満足し、
ダウンリンク制御信号送信モジュールは、ポートグループ化モジュールで取得された第１ポートと第２ポートによりダウンリンク制御信号を送信する、
ことを特徴とする８本のアンテナを使用するダウンリンク制御チャネルの伝送装置。
【請求項９】
８本のアンテナを使用するダウンリンク制御チャネルの伝送装置において、
ポートグループ化モジュールは、基地局のダウンリンク伝送に使用される８本のアンテナに対して、第１と第４の二重偏波アンテナ対を第１ポートに仮想化し、第２と第３の二重偏波アンテナ対を第２ポートに仮想化し、そのうち、第１ポートにおける４本のアンテナの放送権の重みは、そのうちの１本のアンテナの重みが＋１であり、他の３本のアンテナの重みが−１であり、又はそのうちの１本のアンテナの重みが−１であり、他の３本のアンテナの重みが＋１であり、第２ポートにおける４本のアンテナの放送権の重みは、そのうちの１本のアンテナの重みが＋１であり、他の３本のアンテナの重みが−１であり、又はそのうちの１本のアンテナの重みが−１であり、他の３本のアンテナの重みが＋１であり、
ダウンリンク制御信号送信モジュールは、ポートグループ化モジュールで取得された第１ポートと第２ポートによりダウンリンク制御信号を送信する、
ことを特徴とする８本のアンテナを使用するダウンリンク制御チャネルの伝送装置。
【請求項１０】
８本のアンテナを使用するダウンリンク制御チャネルの伝送装置において、
ポートグループ化モジュールは、基地局のダウンリンク伝送に使用される８本のアンテナに対して、第１と第２の二重偏波アンテナ対における＋４５度方向アンテナと第３と第４の二重偏波アンテナ対における−４５度方向アンテナを第１ポートに仮想化し、第１と第２の二重偏波アンテナ対における−４５度方向アンテナと第３と第４の二重偏波アンテナ対における＋４５度方向アンテナを第２ポートに仮想化し、そのうち、第１ポートにおける４本のアンテナの放送権の重みは、そのうちの１本のアンテナの重みが＋１であり、他の３本のアンテナの重みが−１であり、又はそのうちの１本のアンテナの重みが−１であり、他の３本のアンテナの重みが＋１であり、第２ポートにおける４本のアンテナの放送権の重みは、そのうちの１本のアンテナの重みが＋１であり、他の３本のアンテナの重みが−１であり、又はそのうちの１本のアンテナの重みが−１であり、他の３本のアンテナの重みが＋１であり、
ダウンリンク制御信号送信モジュールは、ポートグループ化モジュールで取得された第１ポートと第２ポートによりダウンリンク制御信号を送信する、
ことを特徴とする８本のアンテナを使用するダウンリンク制御チャネルの伝送装置。
【請求項１１】
８本のアンテナを使用するダウンリンク制御チャネルの伝送装置において、
ポートグループ化モジュールは、基地局のダウンリンク伝送に使用される８本のアンテナに対して、第１と第３の二重偏波アンテナ対における＋４５度方向アンテナと第２と第４の二重偏波アンテナ対における−４５度方向アンテナを第１ポートに仮想化し、第１と第３の二重偏波アンテナ対における−４５度方向アンテナと第２と第４の二重偏波アンテナ対における＋４５度方向アンテナを第２ポートに仮想化し、そのうち、第１ポートにおける４本のアンテナの放送権の重みは、そのうちの１本のアンテナの重みが＋１であり、他の３本のアンテナの重みが−１であり、又はそのうちの１本のアンテナの重みが−１であり、他の３本のアンテナの重みが＋１であり、第２ポートにおける４本のアンテナの放送権の重みは、そのうちの１本のアンテナの重みが＋１であり、他の３本のアンテナの重みが−１であり、又はそのうちの１本のアンテナの重みが−１であり、他の３本のアンテナの重みが＋１であり、
ダウンリンク制御信号送信モジュールは、ポートグループ化モジュールで取得された第１ポートと第２ポートによりダウンリンク制御信号を送信する、
ことを特徴とする８本のアンテナを使用するダウンリンク制御チャネルの伝送装置。
【請求項１２】
８本のアンテナを使用するダウンリンク制御チャネルの伝送装置において、
ポートグループ化モジュールは、基地局のダウンリンク伝送に使用される８本のアンテナに対して、第１と第４の二重偏波アンテナ対における＋４５度方向アンテナと第２と第３の二重偏波アンテナ対における−４５度方向アンテナを第１ポートに仮想化し、第１と第４の二重偏波アンテナ対における−４５度方向アンテナと第２と第３の二重偏波アンテナ対における＋４５度方向アンテナを第２ポートに仮想化し、そのうち、第１ポートにおける４本のアンテナの放送権の重みは、そのうちの１本のアンテナの重みが＋１であり、他の３本のアンテナの重みが−１であり、又はそのうちの１本のアンテナの重みが−１であり、他の３本のアンテナの重みが＋１であり、第２ポートにおける４本のアンテナの放送権の重みは、そのうちの１本のアンテナの重みが＋１であり、他の３本のアンテナの重みが−１であり、又はそのうちの１本のアンテナの重みが−１であり、他の３本のアンテナの重みが＋１であり、
ダウンリンク制御信号送信モジュールは、ポートグループ化モジュールで取得された第１ポートと第２ポートによりダウンリンク制御信号を送信する、
ことを特徴とする８本のアンテナを使用するダウンリンク制御チャネルの伝送装置。
【請求項１３】
８本のアンテナを使用するダウンリンク制御チャネルの伝送装置において、
ポートグループ化モジュールは、基地局のダウンリンク伝送に使用される８本のアンテナに対して、第１、第２、第３と第４の二重偏波アンテナ対における＋４５度方向アンテナを第１ポートに仮想化し、第１、第２、第３と第４の二重偏波アンテナ対における−４５度方向アンテナを第２ポートに仮想化し、そのうち、第１ポートにおける４本のアンテナの放送権の重みは、そのうちの１本のアンテナの重みが＋１であり、他の３本のアンテナの重みが−１であり、又はそのうちの１本のアンテナの重みが−１であり、他の３本のアンテナの重みが＋１であり、第２ポートにおける４本のアンテナの放送権の重みは、そのうちの１本のアンテナの重みが＋１であり、他の３本のアンテナの重みが−１であり、又はそのうちの１本のアンテナの重みが−１であり、他の３本のアンテナの重みが＋１であり、
ダウンリンク制御信号送信モジュールは第１ポートと第２ポートによりダウンリンク制御信号を送信する、
ことを特徴とする８本のアンテナを使用するダウンリンク制御チャネルの伝送装置。
【請求項１４】
前記装置は長期進化ＬＴＥ時分割二重ＴＤＤ基地局、又はＬＴＥ  Ａ  ＴＤＤ基地局、又はＬＴＥ周波数分割二重ＦＤＤ基地局、又はＬＴＥ  Ａ  ＦＤＤ基地局に位置することを特徴とする請求項８〜１３のいずれか一項に記載の８本のアンテナを使用するダウンリンク制御チャネルの伝送装置。
【国際調査報告】
2013541256.tif 000018
2013541256.tif 000019
2013541256.tif 000020
2013541256.tif 000021